(57)【特許請求の範囲】
【請求項１】
磁性体を銅容器内に封入して形成され、水タンク等の水容器内に設置して藻やスライム等の繁殖を抑えると共に、水中のカルシウム塩や珪酸塩等のスケールが水容器や管路、機器等の内面へ付着するのを防ぐようにしたスケール付着防止装置に於いて、前記銅容器を壁体に小孔を穿設した円筒形の銅パイプとすると共に、磁性体を鉄製磁石、フェライト、アルニコ、Ｓｍ−Ｃｏ系磁石、Ｎｄ−Ｆｅ−Ｂ系磁石又はＳｍ−Ｆｅ−Ｎ系磁石から成る棒状の永久磁石とし、前記銅パイプ内に棒状の永久磁石を封入したことを特徴とするスケール付着防止装置。
【発明の詳細な説明】
【０００１】
【発明の属する技術分野】
本発明は、スケール付着防止装置に関し、特に、水タンク等の水容器内に配置され、前記水容器内等の藻やスライム等の繁殖を抑えて水容器等の内面への付着を防ぐと共に、水中のカルシウム塩や珪酸塩等のスケールが水容器や管路、機器等の内面へ付着するのを防ぐようにしたスケール付着防止装置に関する。
【０００２】
【従来の技術】
従来、ビル等の屋上や地下に設置された水タンクでは、タンク内部の清掃が十分でないと水中に藻やスライム等が繁殖し、水タンクの内面や水タンクに接続された配管、熱交換器等の内面に付着する。同様に水中のカルシウム塩や珪酸塩等が水タンクの内面や水タンクに接続された配管、熱交換器等の内面に付着し、水の汚れや流路抵抗の増加、熱伝導等の低下を招くという問題があった。
【０００３】
上記のような問題を解決するため、従前から各種の水の浄化装置が開発されており、例えば特開平９−１１７７５８号公報には、図３に示すように、受水口１０１ｂと給水口１０１ｃを有する貯水タンク１０１と、貯水タンク１０１内へ配置した中空筒状の活性炭成形フィルタ１０２と、活性炭成形フィルタ１０２の内部の中空部１０２ｄと貯水タンク１０１の給水口１０１ｃとを連通する水通路１０４とを備え、貯水タンク１０１内へ注水した水を大気圧下で活性炭成形フィルタ１０２により濾過処理し、その中空部１０２ｄより浄化水を貯水タンク１０１外へ流出させるようにした構成の浄化装置が開示されている。
これによると、大容量の水をフィルタの目詰まり等を生じることなしに濾過処理することができるうえ、水の活性化や殺菌等の処理も高能率で行える。
ところが、当該水の浄化装置には、貯水タンク１０１の内面にスケールが付着するのを防止できないという問題があった。
【０００４】
また、特開平５−３３７４７５号公報には、水溶液を活性化することにより、スケール等の発生を防止する方法が記載されている。
即ち、当該水溶液の活性化方法は、図４に示すように、水２０６とミネラル含有体２０２とを接触させ、水２０６にミネラル類を溶解させるミネラル溶解処理工程と；ミネラルを溶解した水に交番電磁場をかけるる電磁処理工程とから水溶液の活性化方法を構成したものである。
この活性化方法によると、ミネラル溶解処理工程を経た水中には多量のミネラルイオンが存在し、この多量のミネラルイオンが水分子と共に交番電磁場によって振動運動をして、水が短時間内に、しかもより高いレベルに活性化されることになり、これによってスケール等の発生が防止される。
【０００５】
ところが、この活性化方法では、交番電磁場を造るために電極２０４や交流電源装置２０５等を必要とするために、装置全体が複雑で大掛かりなものとなり、大きな設置スペースを必要とするうえ、コスト高になるという問題があった。
また、ミネラル溶解処理槽２０１の内面にスケールが付着するのを防止できないという問題があった。
【０００６】
【発明が解決しようとする課題】
本発明は、上記従来の問題に鑑みてなされたものであり、水容器内で溶出させる銅イオンによって藻やスライムの繁殖を抑えるとともに、磁性体から発せられる磁力線により流水中で水を活性化し、カルシウム塩や珪酸塩のスケールが水容器や水容器に接続された配管及び熱交換器等の内面へ付着するのを防止し、しかも構造が簡単で低コストのスケール付着防止装置を提供するものである。
【０００７】
【課題を解決するための手段】
上記課題を解決するため、本願発明は、磁性体を銅容器内に封入して形成され、水タンク等の水容器内に設置して藻やスライム等の繁殖を抑えると共に、水中のカルシウム塩や珪酸塩等のスケールが水容器や管路、機器等の内面へ付着するのを防ぐようにしたスケール付着防止装置に於いて、前記銅容器を壁体に小孔を穿設した円筒形の銅パイプとすると共に、磁性体を鉄製磁石、フェライト、アルニコ、Ｓｍ−Ｃｏ系磁石、Ｎｄ−Ｆｅ−Ｂ系磁石又はＳｍ−Ｆｅ−Ｎ系磁石から成る棒状の永久磁石とし、前記銅パイプ内に棒状の永久磁石を封入したことを発明の基本構成とするものである。
【００１１】
【発明の実施の形態】
以下、本発明に係るスケール付着防止装置の実施の形態について、図を参照しつつ説明する。
図１は本発明の実施形態に係るスケール付着防止装置を水タンク内に配置した状態を示す断面図であり、図２はスケール付着防止装置を示し、（ａ）はその一部を切断した斜視図、（ｂ）はその別例を示す斜視図である。
【００１２】
図１において、１は水タンクであり、この水タンク１には受水口１１と給水口１２とが設けられていて、給水口１２には熱交換器等へ給水するための給水配管２が接続されている。また、この水タンク１内には左右一対の支持台３、３が設けられており、支持台３、３上にスケール付着防止装置４が配置されている。
【００１３】
スケール付着防止装置４は、図２（ａ）に示すように、磁性体４１が円筒形の銅パイプからなる銅容器４２内に封入密閉されている。
この磁性体４１は、鉄製磁石、フェライト、アルニコ、Ｓｍ−Ｃｏ系磁石、Ｎｄ−Ｆｅ−Ｂ系磁石、Ｓｍ−Ｆｅ−Ｎ系磁石の中の何れか一種又は二種以上の材質から形成されている。
【００１４】
このように構成されたスケール付着防止装置４を水タンク１内に配置することにより、水タンク１内の水中に、銅容器４２の銅が一部溶出して銅イオンとなり、この銅イオンによって水中での藻やスライムの繁殖が抑えられるとともに、水タンク１内や水タンク１に接続された給水配管２、熱交換器（図示省略）等の内面に藻やスライム等が付着するのが防止される。
また、磁性体４１から発せられる磁力線によって、水タンク１内の水が磁化されることにより、水が活性化される。これにより、水タンク１や給水配管２の内面及び熱交換器等の内面にカルシウム塩や珪酸塩等のスケールが付着するのが防止される。
【００１５】
図２（ｂ）は、スケール付着防止装置４の別例であって、この例に於いては、磁性体４１が封入された銅容器４２の壁体に、複数の小孔４３が穿設されている。この例にあたっては、水が小孔４３を通って直接に磁性体４１に触れることになり、より一層水が強く磁化される。その結果、カルシウム塩や珪酸塩等のスケールが付着するのがより一層有効に防止される。
【００１６】
尚、上記実施形態では、水容器として水タンク１を挙げて説明をしたが、水容器としてはこれに限らず、他種の水容器にも適用できることは勿論である。
また、上記実施形態では、水タンク１内の冷水について説明したが、これに限らず、常温の水や温水等にも適用できることは勿論である。
【００１７】
【発明の効果】
以上説明したように、本願発明は、スケール付着防止装置を磁性体を銅容器内に封入した構成としているため、銅容器から溶出した銅イオンによって、水中の藻やスライムの繁殖を抑えることができるとともに、磁性体から発せられる磁力線により水を活性化することにより、カルシウム塩や珪酸塩のスケールが水容器やこの水容器に接続された配管、熱交換器等の内面へ付着するのを防止することができる。
また、前記磁性体が鉄製磁石、フェライト、アルニコ、Ｓｍ−Ｃｏ系磁石、Ｎｄ−Ｆｅ−Ｂ系磁石又はＳｍ−Ｆｅ−Ｎ系磁石から成る棒状の永久磁石としているため、入手しやすいとともに、水中の磁界を高めることができ、スケールの付着をより一層有効に防止することができる。
更に、前記銅容器が円筒形の銅パイプからなり、この銅パイプ内に前記磁性体を封入する構成としているため、構造が簡単で製造コストの大幅な引下げが図れると共に、銅パイプの壁体に小孔を穿設したものであるから、水が小孔を通って直接磁性体に接触することとなり、より一層水が強く磁性により活性化されることになる。その結果、カルシウム塩や珪酸塩等のスケールの付着がより確実に防止される。
【図面の簡単な説明】
【図１】本発明の実施形態のスケール付着防止装置を水タンク内に配置した状態を示す断面図である。
【図２】本実施形態のスケール付着防止装置を示し、（ａ）はその第１例のスケール付着防止装置の一部を断面した傾斜図、（ｂ）はその第２例のスケール付着防止装置の傾斜図である。
【図３】従来の水の浄化装置を示す断面図である。
【図４】従来の水溶液の活性化方法に使用する活性化装置の説明図である。
【符号の説明】
１        水タンク（水容器）
４        スケール付着防止装置
４１      磁性体
４２      銅容器
４３      小孔
【図１】
0003836658.tif 000002
【図２】
0003836658.tif 000003
【図３】
0003836658.tif 000004
【図４】
0003836658.tif 000005